(57)【要約】      （修正有）【課題】頭のサイズや形状の違いに対応出来るヘッドセットを提供する。【解決手段】ヘッドセット１は、人体の頭部に装着時に頭部の中心より両端までの長さが異なるヘッドセット１であり、一端は、頭上での係止手段３を備え、一端は、人体の頭部に装着時に耳位置より下に位置し、送受話器保持具の装着手段として面ファスナー２をヘッドセット１に直接取り付けている。ここで言う送受話器保持具とは、人体の頭部に装着された物品（ヘッドホーン、カチューシャ、ヘルメット）に装着して通信機器の受話部を耳元付近に当てる事が出来る物品（送受話器保持具と送受話器保持袋と通信機器送受話器保持袋）であり、それぞれの装着手段が面ファスナーを設けている物品を言う。ヘッドセットは、人体の頭の大きさや形状が異なる場合にでも同じヘッドセットが扱える。【選択図】図１
2007312343.tif 000002
【特許請求の範囲】
【請求項１】
ヘッドセットは、人体の頭部に装着時に頭部の中心より両端までの長さが異なるヘッドセットであり、一端は、頭上での係止手段を備え、一端は、人体の頭部に装着時に耳位置より下に位置し、送受話器保持具の装着手段として面ファスナーをヘッドセットに直接取り付けている事を特徴とするヘッドセット。
【発明の詳細な説明】
【技術分野】
【０００１】本発明は、ヘッドセットに関し、特に送受話器保持具と送受話器保持袋と通信機器送受話器保持袋に関する。
【背景技術】
【０００２】従来のヘッドセットでは、あらゆる種類のヘッドセットが発明または考案されているが、送受話器保持具（実用新案登録第３１１２２７５号）、通信機器送受話器保持袋（実用新案登録第３１１２４３２号）、通信機器送受話器の保持に関する袋（意匠登録１２５１５５２号）のような、人体の頭部に装着された物品（ヘッドホーン、カチューシャ、ヘルメット）に装着して通信機器の受話部を耳元付近に当てる事が出来る物品の為のヘッドセットは、発明または考案は、されていない。
この為に従来の送受話器保持具と送受話器保持袋と通信機器送受話器保持袋は、ヘッドセットの代わりにヘッドホーン、カチューシャ、ヘルメットを代用していた。これらの場合には頭のサイズや形状の違いに対応出来ていない為に使用出来る頭のサイズや形状が限られていた。また従来には、通信機器を直接ヘッドセットにより保持する事が出来る物（特許公開２００２−３７４３３６）も有るが送受話器保持具には対応してない。
【発明の開示】
【発明が解決しようとする課題】
【０００３】本発明のヘッドセットは、送受話器保持具と送受話器保持袋と通信機器送受話器保持袋の他の物品に装着して通信機器の受話部を耳元付近に当てる事により通話をしながら両手が自由に使用出来るハンズフリー通話を実現出来る物品に対して、頭のサイズや形状の違いに対応出来るヘッドセットを提供する事。
【課題を解決するための手段】
【０００４】本発明のヘッドセットは、人体の頭部に装着時に頭部の中心より両端までの長さが異なるヘッドセットであり、一端は、頭上での係止手段を備え、一端は、人体の頭部に装着時に耳位置より下に位置し、該、ヘッドセットは、送受話器保持具への装着手段として面ファスナーを直接ヘッドセットに取り付けている事を特徴とするヘッドセット。ここで言う送受話器保持具とは、人体の頭部に装着された物品（ヘッドホーン、カチューシャ、ヘルメット）に装着して通信機器の受話部を耳元付近に当てる事が出来る物品（送受話器保持具と送受話器保持袋と通信機器送受話器保持袋）であり、それぞれの装着手段が面ファスナーを設けている物品を言う。
【発明の効果】
【０００５】本発明のヘッドセットは、通信機器を挿入した送受話器保持具を装着して両手が自由に使用出来るハンズフリー通話を実現する場合には、頭のサイズや形状に関わらずに通信機器を耳元付近に位置する事が出来る。
【発明を実施するための最良の形態】
【０００６】図１は、本発明のヘッドセット（図１符号１）の斜視図であり、該、ヘッドセットは、中心（図１符号６）より両端までの長さが異なるヘッドセットであり、送受話器保持具への装着手段として面ファスナー（図１符号２）を直接取り付けている。該、面ファスナーは、面ファスナーの結合構造により送受話器保持具の面ファスナーと結合し送受話器保持具は該、ヘッドセットに装着される。該、装着手段は、面ファスナーを直接ヘッドセットに取り付けている為に送受話器保持具の装着では、角度の変化や装着位置の変化に対応している。該、ヘッドセットの一端に頭上での係止手段を備えている。該、係止手段は、吸盤（図１、符号３）がこの手段となる。また該、系止手段は、保護部材（図７、符号７）を用いても係止手段となる（図８）。また、係止手段を備えない一端は、人体の頭部に装着時に耳位置より下に位置する（図９）。これにより送受話器保持具を耳元付近に位置させる事が出来る。ヘッドセットの部材は柔軟な弾性に富むプラスティックの適合素材を使う。これにより該、ヘッドセットは、人体の頭に装着が出来る。
図２は、本発明のヘッドセットを人体の頭部に装着し、該、ヘッドセットに送受話器保持具を装着した正面図である。この場合（図２）の送受話器保持具は、左耳を使用しているが左右対称にして右耳も使用出来る（図省略）。
図３は、本発明のヘッドセットを人体（Ａ）の頭部に装着し、該、ヘッドセットに送受話器保持具を装着した右側面図ある。人体（Ａ）の頭部は、丸みを帯びた小さい頭である。
図４は、本発明のヘッドセットを人体（Ｂ）の頭部に装着し、該、ヘッドセットに送受話器保持具を装着した右側面図ある。人体（Ｂ）の頭部は、四角型の大きな頭である。
図５は、本発明のヘッドセットを人体（Ｃ）の頭部に装着し、該、ヘッドセットに送受話器保持具を装着した右側面図ある。人体（Ｃ）の頭部は、三角状の歪な頭である。本発明のヘッドセットは、人体の頭の大きさ形状が異なる場合にでも同じヘッドセットが扱え、角度の変化や装着位置に対応している。
図６は、送受話器保持具への装着手段として面ファスナーの変わりにクリップを設けた斜視図である。該、クリップは、送受話器保持具の装着が出来るが角度の変化や装着位置に対応しない。
符号６の中心位置は、人体の頭の大きさ形状により変化するが中心より両端までの長さが同じになる事はない。
【図面の簡単な説明】
【０００７】
【図１】は、本発明のヘッドセットの斜視図
【図２】は、本発明のヘッドセットを人体の頭部に装着し、該、ヘッドセットに送受話器保持具を装着した正面図
【図３】は、本発明のヘッドセットを人体（Ａ）の頭部に装着し、該、ヘッドセットに送受話器保持具を装着した右側面図
【図４】は、本発明のヘッドセットを人体（Ｂ）の頭部に装着し、該、ヘッドセットに送受話器保持具を装着した右側面図
【図５】は、本発明のヘッドセットを人体（Ｃ）の頭部に装着し、該、ヘッドセットに送受話器保持具を装着した右側面図
【図６】は、送受話器保持具への装着手段として面ファスナーの変わりにクリップを設けた斜視図
【符号の説明】
【０００８】符号１  ヘッドセット
符号２  面ファスナー
符号３  係止手段となる吸盤
符号４  送受話器保持具
符号５  クリップ
符号６  ヘッドセットを人体の頭に装着時の頭上の中心位置
符号７  保護部材
符号８  人体の耳部分
【図１】
2007312343.tif 000003
【図２】
2007312343.tif 000004
【図３】
2007312343.tif 000005
【図４】
2007312343.tif 000006
【図５】
2007312343.tif 000007
【図６】
2007312343.tif 000008
【図７】
2007312343.tif 000009
【図８】
2007312343.tif 000010
【図９】
2007312343.tif 000011
【手続補正書】
【提出日】平成18年8月3日(2006.8.3)
【手続補正１】
【補正対象書類名】明細書
【補正対象項目名】０００７
【補正方法】変更
【補正の内容】
【０００７】
【図１】本発明のヘッドセットの斜視図
【図２】本発明のヘッドセットを人体の頭部に装着し、該、ヘッドセットに送受話器保持具を装着した正面図
【図３】本発明のヘッドセットを人体（Ａ）の頭部に装着し、該、ヘッドセットに送受話器保持具を装着した右側面図
【図４】本発明のヘッドセットを人体（Ｂ）の頭部に装着し、該、ヘッドセットに送受話器保持具を装着した右側面図
【図５】本発明のヘッドセットを人体（Ｃ）の頭部に装着し、該、ヘッドセットに送受話器保持具を装着した右側面図
【図６】送受話器保持具への装着手段として面ファスナーの変わりにクリップを設けた斜視図
【図７】本発明のヘッドセットに保護部材を設けた斜視図
【図８】本発明のヘッドセットに保護部材を設け送受話器保持具を装着した斜視図
【図９】本発明のヘッドセットを人体の頭部に装着した右側面図